(57)【特許請求の範囲】
【請求項１】
胴部と、底部と、上部とを備えた紙容器において、
前記上部は、対向する一対の傾斜板と、この傾斜板間に位置するとともに、傾斜板間に折込まれた一対の折込部とを有し、各折込部は、互いに交わる２直線からなり内側に折込まれる一対の折込線を含み、
この折込部外面に、目視により認識可能な複数の文字または数字を有し当該紙容器を特定する情報を含むＩＤコードが形成され、各文字または数字は前記折込線上にこの折込線をまたいで配置され、これにより外部から各文字または数字を確認することが不可能となる、ことを特徴とする紙容器。
【請求項２】
胴部と、底部と、上部とを備えた紙容器において、
前記上部は、対向する一対の傾斜板と、この傾斜板間に位置するとともに、傾斜板間に折込まれた一対の折込部とを有し、各折込部は、互いに交わる２直線からなり内側に折込まれる一対の折込線を含み、
この折込部外面に、目視により認識可能な複数の文字または数字を有し当該紙容器を特定する情報を含むＩＤコードが形成され、複数の文字または数字により、文字または数字の固まりが構成され、この文字または数字の固まりは前記折込線上にこの折込線をまたいで配置され、これにより外部から各文字または数字の固まりを確認することが不可能となる、ことを特徴とする紙容器。
【請求項３】
各文字または数字は、レーザー光によって折込部外面に印刷されることを特徴とする請求項１または２記載の紙容器。
【請求項４】
各文字または数字は、インクジェットによって折込部外面に印刷されることを特徴とする請求項１または２記載の紙容器。
【発明の詳細な説明】
【技術分野】
【０００１】
本発明は液体紙容器等の紙容器に係り、とりわけレーザー光またはインクジェットを用いて印刷されたＩＤコードを有する紙容器に関する。
【背景技術】
【０００２】
従来より飲料が収納された液体紙容器等の紙容器を作製する際、当該紙容器にＩＤコードが付されることがある。このような紙容器に付されるＩＤコードは、紙容器の購入者がキャンペーンに応募する際に用いられ、購入者はこのＩＤコードをインターネット上に入力してキャンペーンに応募している。
【０００３】
紙容器に付されるＩＤコードは、一般にインクジェットを用いて印刷されたり、レーザー光を照射して印刷されたりしている。
【０００４】
しかしながら紙容器にＩＤコードを印刷する場合、紙容器に印刷されたＩＤコードの位置によっては、ＩＤコードが購入者以外の人に容易に認識されてしまうという問題もある。
【先行技術文献】
【特許文献】
【０００５】
【特許文献１】特開２００７−１６１２９１号公報
【発明の概要】
【発明が解決しようとする課題】
【０００６】
本発明はこのような点を考慮してなされたものであり、とりわけ購入者以外の人に容易に認識できないＩＤコードを有する紙容器を提供することを目的とする。
【課題を解決するための手段】
【０００７】
本発明は、胴部と、底部と、上部とを備えた紙容器において、前記上部は、対向する一対の傾斜板と、この傾斜板間に位置するとともに、傾斜板間に折込まれた一対の折込部とを有し、各折込部は、互いに交わる２直線からなり内側に折込まれる一対の折込線を含み、この折込部外面に、目視により認識可能な複数の文字または数字を有し当該紙容器を特定する情報を含むＩＤコードが形成され、各文字または数字は前記折込線上にこの折込線をまたいで配置され、これにより外部から各文字または数字を確認することが不可能となる、ことを特徴とする紙容器である。
【０００８】
本発明は、胴部と、底部と、上部とを備えた紙容器において、前記上部は、対向する一対の傾斜板と、この傾斜板間に位置するとともに、傾斜板間に折込まれた一対の折込部とを有し、各折込部は、互いに交わる２直線からなり内側に折込まれる一対の折込線を含み、この折込部外面に、目視により認識可能な複数の文字または数字を有し当該紙容器を特定する情報を含むＩＤコードが形成され、複数の文字または数字により、文字または数字の固まりが構成され、この文字または数字の固まりは前記折込線上にこの折込線をまたいで配置され、これにより外部から各文字または数字の固まりを確認することが不可能となる、ことを特徴とする紙容器である。
【０００９】
本発明は、各文字または数字は、レーザー光によって折込部外面に印刷されることを特徴とする紙容器である。
【００１０】
本発明は、各文字または数字は、インクジェットによって折込部外面に印刷されることを特徴とする紙容器である。
【発明の効果】
【００１１】
以上のように本発明によれば、紙容器に設けられたＩＤコードを購入者以外の人が容易に認識することを防止できる。
【図面の簡単な説明】
【００１２】
【図１】図１は本発明の第１の実施の形態による紙容器を示す折込部の拡大図。
【図２】図２は紙容器を示す斜視図。
【図３】図３は包装材料を打抜いて形成されたブランク材を示す図。
【図４】図４は本発明の第１の実施の形態による紙容器を作製するための包装材料を示す図。
【図５】図５は本発明の第２の実施の形態による紙容器を作製するための包装材料を示す図。
【図６】図６（ａ）（ｂ）は印刷物の作製システムを示す図。
【発明を実施するための形態】
【００１３】
第１の実施の形態
以下、図面を参照して本発明の実施の形態について説明する。
【００１４】
図１乃至図４および図６（ａ）（ｂ）は、本発明による紙容器、例えばゲーベルトップ型紙容器を示す図である。
【００１５】
まず本発明による紙容器、例えばゲーベルトップ型紙容器について説明する。
【００１６】
図２に示すように、このような紙容器１は内部に飲料等の液体を収納する液体紙容器となっている。
【００１７】
図２に示すように、紙容器１はゲーベルトップ型の紙容器１であって、四角筒状の胴部２と、四角板状の底部５と、ゲーベルトップ型の上部７とを有している。
【００１８】
このうちゲーベルトップ型の上部７は対向する一対の傾斜板３，３と、傾斜板３，３間に位置するとともに傾斜板３，３間に折込まれる一対の折込部６，６とを有している。そして一対の傾斜板３，３には各々の上端にのりしろ４，４が設けられ、一対の傾斜板３，３は各々の上端に設けられたのりしろ４，４により互いに接着されている。
【００１９】
このようなゲーベルトップ型の紙容器１において、のりしろ４，４を互いに引離し、上部７を開くことにより紙容器１内から飲料等の内容物を取出すことができる。
【００２０】
ゲーベルトップ型の紙容器１は、図３に示すようなブランク材１ａを組立てることにより作製される。
【００２１】
ブランク材１ａは後述のように、所望の層構成をもつ包装材料１０を打抜くことにより得られる。このブランク材１ａは、紙容器１の胴部２に対応する胴部パネル２ａと、底部５に対応する底部パネル５ａと、一対の傾斜板３，３に対応する傾斜板パネル３ａ，３ａと、一対の傾斜板３，３間に折込まれる一対の折込部６，６に対応する折込部パネル６ａ，６ａとを有している。
【００２２】
また図３に示すブランク材１ａにおいて、各傾斜板パネル３ａ，３ａに、のりしろ４，４が設けられている。
【００２３】
またブランク材１ａにおいて、一対の折込部パネル６ａ，６ａのうちの一方の折込部パネル６ａに、印刷領域９が形成されている。そしてこの印刷領域９内に、当該ブランク材１ａにより得られる紙容器１を特定する情報を含むＩＤコード８Ａがレーザー光を照射して印刷を施すことにより形成されている。
【００２４】
次に図１（ａ）（ｂ）および図３により、折込部６に対応する折込部パネル６ａに形成され、紙容器１を特定する情報を含むＩＤコード８Ａについて詳述する。
【００２５】
上述のように各折込部６，６は一対のの傾斜板３，３間に折込まれるものであり、この場合、各折込部６，６は互いに交わる２直線からなる一対の折込線６ｂ、６ｂを介して一対の傾斜板３，３間内側に折込まれる。
【００２６】
すなわち、図１（ａ）（ｂ）および図３に示すように、折込部６，６に対応する各折込部パネル６ａ，６ａには、一対の折込線６ｂ、６ｂが形成されており、ＩＤコード８Ａは一方の折込部パネル６ａのうち、一対の折込線６ｂ、６ｂ近傍に設けられている。
【００２７】
この場合、ＩＤコード８Ａは、複数の文字または数字８からなり、各文字または数字８はいずれも折込線６ｂ、６ｂに沿って配置され、好ましくは各文字または数字８は折込線６ｂ、６ｂと交わって配置されている（図１（ａ））。
【００２８】
他方、図１（ｂ）に示すように、２〜３個の文字または数字８を一つの固まりとし、文字または数字８の固まりを折込線６ｂ、６ｂ上に配置してもよい。
【００２９】
なお、図１（ａ）（ｂ）において、文字または数字８として、便宜上数字のみが示されているが、文字のみでＩＤコード８Ａを形成してもよく、数字と文字を混合してＩＤコード８Ａを形成してもよい。
【００３０】
次にブランク材１ａを形成するための包装材料１０について述べる。上述のようにブランク材１ａは包装材料１０を打抜くことにより得られる。このような包装材料１０は、図４に示すように、紙基材１４Ａと、紙基材１４Ａ上に形成された非黒色印刷層１２と、非黒色印刷層１２上に形成された黒色インキ層１１とからなる層構成を有している。
【００３１】
このうち、紙基材１４Ａはポリエチレン層（ＰＥ層）１３／紙材１４／ポリエチレン層（ＰＥ層）１５からなる。紙基材としては、一般的な積層体を使用することができる。具体的には、ＰＥ／紙材、ＰＥ／紙材／ＰＥ、ＰＥ／紙材／ＰＥ／ＰＥＴ／ＰＥ、ＰＰ／紙材、ＰＰ／紙材／ＰＰ、等がある。ＰＥには高密度ポリエチレン、中密度ポリエチレン、低密度ポリエチレン、線状低密度ポリエチレンを用いることができる。紙材１４としては賦型性、耐屈曲性、剛性、腰、強度等を有するものが使用できる。
【００３２】
具体的には紙材１４としては、主強度材であり、強サイド性の晒または未晒の紙材、純白ロール紙、クラフト紙、板紙、加工紙、ミルク厚紙等の各種紙材を用いることができる。紙材１４はこれらの紙材を複数重ねたものであってもよい。
【００３３】
また使用する紙材１４は、坪量８０〜６００ｇ／ｍ２、好ましくは坪量１００〜４５０ｇ／ｍ２のものを使用することができる。紙材１４の厚さは１１０〜８６０μｍ、好ましくは１４０〜６４０μｍのものを使用することができる。
【００３４】
また包装材料１０のうち印刷領域９において、黒色インキ層１１に対してＹＶＯ４レーザー光がパターン状に照射される。この場合、黒色インキ層１１がレーザー光により昇華されて開口８ａが形成され、黒色インキ層１１の下方に位置する非黒色印刷層１２が開口８ａを介して外方へ露出する。
【００３５】
このように黒色インキ層１１の開口８ａを介して外方へ露出される非黒色印刷層１２によって、複数の文字または数字８からなるＩＤコード８Ａが形成される。
【００３６】
上述のように、複数の文字または数字８からなるＩＤコード８Ａは、ブランク材１ａの一方の折込部パネル６ａに形成される。このため、ブランク材１ａを組立てることにより紙容器１を作製した場合、ＩＤコード８Ａは一方の折込部６に位置するため、紙容器１の状態ではＩＤコード８Ａを外方から確認することはむずかしい。
【００３７】
とりわけ、ＩＤコード８Ａを構成する各文字または数字８を、折込部パネル６ａの折込線６ｂと交わるように配置した場合、一対の傾斜板３，３を多少拡げて折込部６の内側を目視しても、各文字または数字８を外方から確認することは不可能である（図１（ａ））。
【００３８】
またＩＤコード８Ａを構成する文字または数字８の固まりを折込線６ｂに沿って配置した場合、当該文字または数字８の固まりの端部を外方から確認できたとしても、文字または数字８の固まり全体を外方から確認することはむずかしい（図１（ｂ））。
【００３９】
しかしながら、紙容器１の上部７を開封することにより、折込部６上のＩＤコード８Ａを外方から容易に確認することができる。
【００４０】
このように紙容器１の状態ではＩＤコード８Ａを外部から容易に確認することができないので、ＩＤコード８Ａを第３者に公知とすることが防止できる。
【００４１】
上述した本発明の実施の形態において、包装材料１０の層構成は、ＰＥ層１５／紙材１４／ＰＥ層１３／非黒色印刷層１２／黒色インキ層１１となっており、黒色インキ層１１に対してレーザー光を照射することによりＩＤコード８Ａが形成される。この場合、包装材料１０はＩＤコード８Ａを有する印刷物となる。
【００４２】
また包装材料１０を打抜くことにより、ブランク材１ａが得られるが、このブランク材１ａもＩＤコード８Ａを有する印刷物となる。
【００４３】
次に非黒色印刷層１２、黒色インキ層１１およびＹＶＯ４レーザー光について、以下詳述する。
【００４４】
（非黒色印刷層１２）
非黒色印刷層１２は後述する黒色インキ層１１の黒色インキ顔料以外のインキ顔料を含む印刷層１２からなっている。
【００４５】
このような非黒色印刷層１２としては、シアニンブルー、カーミン６Ｂ、ジスアゾエロー等のようなインキ顔料を含む印刷層が考えられる。
【００４６】
（黒色インキ層１１）
黒色インキ層１１は黒色インキ顔料を含む印刷層となっており、このような黒色インキ顔料としては、カーボン、カーボンブラック等のようなインキ顔料が考えられる。
【００４７】
（ＹＶＯ４レーザー光）
上述のように黒色インキ層１１の所望部分に対してＹＶＯ４レーザー光を照射し、黒色インキ層１１の当該部分を除去して、ＩＤコード８Ａを形成する（図４）。
【００４８】
本発明において使用するレーザー光はシングルモードのＹＶＯ４レーザー光である。シングルモードのレーザー光とは、一つのピークからなるレーザー光であって、焦点が絞られるため微細な加工に適している。
【００４９】
ＹＶＯ４レーザーは、ＹＡＧレーザーの一種で、当該レーザー光の波長は１０６４ｎｍで、黒色以外の色に吸収されにくい性質がある。しかしながら、印字に長時間を要し、かつ、印字精度が低下するので好ましくない。
【００５０】
＜レーザー印字条件＞
レーザー印字の実施に際し特に重要な条件は出力、走査速度、パルス周波数であるが、レーザー出力装置の能力、印字面積、黒インキの材質、要求される印字時間、および、要求されるシンボルのグレード等によってレーザー印字条件は異なるため、具体的に範囲を限定することはできない。
【００５１】
レーザー印字速度を上げたい場合、出力を大きくして走査速度を上げるが、あまり走査速度が高すぎると走査精度が低下して印字物の仕上がりが雑になる。
【００５２】
レーザー印字物の仕上がりを良くしたい場合、出力を小さくして走査速度を下げると良いが、印字時間が長くなる。
【００５３】
パルス周波数は、黒インキ層１１の黒色顔料の材質によって最も効果的にインキを除去できる数値が異なる。パルス周波数は一般的にあまり大きく変動する数値ではないので、レーザー印字条件を求めるに際して、最初は適当な周波数に設定する。
【００５４】
そしてレーザー印字条件の選定にあたっては、レーザー印字物のシンボルを検証機で検証しながら出力と走査速度の組合せを何通りか試みてレーザー印字テストを実施し、希望に近い印字時間とグレードが得られたら、出力と走査速度を固定して周波数を何通りか変えてレーザー印字を試みてレーザー印字物の検証を実施する。最後に出力と走査速度の微調整を行って、最も好適なレーザー印字条件を選定する。
【００５５】
好適なレーザー印字条件を求める際、最も重要なことはコントラストであり、大抵のレーザー印字物のグレードはコントラストのグレードに左右される。
【００５６】
次にこのような構成からなる印刷物の作製方法について、図６（ａ）（ｂ）により説明する。
【００５７】
ここで図６（ａ）（ｂ）は印刷物の作製システムを示す図である。
【００５８】
図６（ａ）（ｂ）に示す印刷物の作製システム２０において、ＰＰ層１３／紙材１４／ＰＰ層１５からなり、予め巻かれた巻体状の紙基材１４Ａが供給部２１に装着されている。
【００５９】
図６（ａ）（ｂ）に示すように、供給部２１から紙基材１４Ａが繰り出され、紙基材１４ＡのＰＥ層１３上にオフセット印刷部２２により印刷が施され、多色の非黒色印刷層１２が形成される。
【００６０】
この場合、非黒色印刷層１２は、少なくとも折込部パネル６ａに対応する印刷領域９に形成される。
【００６１】
次に紙基材１４Ａ上に形成された印刷領域９の非黒色印刷層１２上に、黒色インキ顔料を含む黒色インキ層１１が形成される。
【００６２】
このようにして、紙基材１４Ａの少なくとも印刷領域９上に非黒色印刷層１２が形成され、非黒色印刷層１２上に黒色インキ層１１が形成された紙基材１４Ａは、その後、レーザーマーカー２３に至る。
【００６３】
そしてこのレーザーマーカー２３により、黒色インキ層１１に対してＹＶＯ４レーザー光をパターン状に照射することにより黒色インキ層１１を昇華させて黒色インキ層１１パターン状の開口８ａが形成される。このことにより、黒色インキ層１１の開口８ａを介して黒色インキ層１１の下地となる非黒色印刷層１２が外方へ現れ、開口８ａを介して外方へ露出する非黒色印刷層１２によって、ＩＤコード８Ａを構成する文字または数字８が形成される。
【００６４】
このようにして文字または数字８からなるＩＤコード８Ａを有する包装材料１０が得られる。
【００６５】
この場合、包装材料１０のＩＤコード８Ａは、対応するブランク材１ａおよび紙容器を特定するＩＤコードとなる。
【００６６】
次に包装材料１０は打抜装置２４に至り、この打抜装置２４において包装材料１０が打抜かれて紙容器１用のブランク材１ａが得られる。
【００６７】
次にブランク材１ａは、コンベア２５により搬送された後、集積部２６上に集積される。
【００６８】
以上のように本実施の形態によれば、包装材料１０あるいはブランク材１ａに複数の文字または数字８を含むＩＤコード８Ａを付す場合、ＹＶＯ４レーザー光を用いて容易かつ確実に、精度良くＩＤコード８Ａを形成することができる。
【００６９】
なお、紙基材１４Ａ上に黒色インキ層１１を設け、さらに黒色インキ層１１上に非黒色インキ層１２を設け、黒色インキ層１１をＹＶＯ４レーザー光により昇華させて、紙基材１４Ａを外方へ露出させてもよい。
【００７０】
第２の実施の形態
次に図５により、本発明による紙容器、例えばゲーベルトップ型紙容器の第２の実施の形態について説明する。
【００７１】
図５に示す第２の実施の形態は包装材料１０の層構成が異なるのみであり、他の構成は図１乃至図４および図６（ａ）（ｂ）に示す第１の実施の形態と略同一である。
【００７２】
図５に示すように、包装材料１０は紙基材１４Ａと、紙基材１４Ａのうち折込部パネル６ａの印刷領域９に形成された黒色インキ顔料を含むパターン状の黒色インキ層１１と、パターン状の黒色インキ層１１以外の部分に形成された非黒色印刷層１２とを備えている。
【００７３】
このうち、紙基材１４Ａはポリエチレン層（ＰＥ層）１３／紙材１４／ポリエチレン層（ＰＥ層）１５からなる。紙基材としては、一般的な積層体を使用することができる。具体的には、ＰＥ／紙材、ＰＥ／紙材／ＰＥ、ＰＥ／紙材／ＰＥ／ＰＥＴ／ＰＥ、ＰＰ／紙材、ＰＰ／紙材／ＰＰ、等がある。ＰＥには高密度ポリエチレン、中密度ポリエチレン、低密度ポリエチレン、線状低密度ポリエチレンを用いることができる。紙材１４としては賦型性、耐屈曲性、剛性、腰、強度等を有するものが使用できる。
【００７４】
具体的には紙材１４としては、主強度材であり、強サイド性の晒または未晒の紙材、純白ロール紙、クラフト紙、板紙、加工紙、ミルク厚紙等の各種紙材を用いることができる。紙材１４はこれらの紙材を複数重ねたものであってもよい。
【００７５】
また使用する紙材１４は、坪量８０〜６００ｇ／ｍ２、好ましくは坪量１００〜４５０ｇ／ｍ２のものを使用することができる。紙材１４の厚さは１１０〜８６０μｍ、好ましくは１４０〜６４０μｍのものを使用することができる。
【００７６】
また包装材料１０のうち印刷領域９において、黒色インキ層１１を含めた周辺領域ＹＶＯ４レーザー光がパターン状に照射される。この場合、黒色インキ層１１がレーザー光により昇華されて非黒色印刷層１２間に開口８ａが形成され、黒色インキ層１１の下方に位置する紙基材１４Ａが開口８ａを介して外方へ露出する。
【００７７】
このようにして、非黒色印刷層１２と、開口８ａを介して外方へ露出される紙基材１４Ａとによって、複数の文字または数字８からなるＩＤコード８Ａが形成される。
【００７８】
上述のように、複数の文字または数字８からなるＩＤコード８Ａは、ブランク材１ａの一方の折込部パネル６ａに形成される。このため、ブランク材１ａを組立てることにより紙容器１を作製した場合、ＩＤコード８Ａは一方の折込部６に位置するため、紙容器１の形ではＩＤコード８Ａを外方から確認することはむずかしい。
【００７９】
しかしながら、紙容器１の上部７を開封することにより、折込部６上のＩＤコード８Ａを外方から容易に確認することができる。
【００８０】
このように紙容器１の状態ではＩＤコード８Ａを外部から容易に確認することができないので、ＩＤコード８Ａを第３者に公知とすることが防止できる。
【００８１】
上述した本発明の実施の形態において、包装材料１０の層構成は、ＰＰ層１５／紙材１４／ＰＰ層１３／非黒色印刷層１２および黒色インキ層１１となっており、黒色インキ層１１に対してレーザー光を照射することによりＩＤコード８Ａが形成される。この場合、包装材料１０はＩＤコード８Ａを有する印刷物となる。
【００８２】
また包装材料１０を打抜くことにより、ブランク材１ａが得られるが、このブランク材１ａもＩＤコード８Ａを有する印刷物となる。
【符号の説明】
【００８３】
１  紙容器
１ａ  ブランク材
２  胴部
２ａ  胴部パネル
３  傾斜板
３ａ  傾斜板パネル
５  底部
５ａ  底部パネル
６  折込部
６ａ  折込部パネル
６ｂ  折込線
７  上部
８  文字または数字
８Ａ  ＩＤコード
９  印刷領域
１０  包装材料
１１  黒色インキ層
１２  非黒色印刷層
１３  ＰＥ層
１４  紙材
１４Ａ  紙基材
１５  ＰＥ層
【図１】
0005703665.tif 000002
【図２】
0005703665.tif 000003
【図３】
0005703665.tif 000004
【図４】
0005703665.tif 000005
【図５】
0005703665.tif 000006
【図６】
0005703665.tif 000007